(57)【要約】【課題】  複数の通信方法それぞれで着信を検出しつつ消費電力を低減させる。【解決手段】  携帯電話機は、無線回路と、無線ＬＡＮ回路と、それらへの電力の供給を制御する制御部と、を備え、制御部は、無線回路と無線ＬＡＮ回路との双方に電力を供給しているときに（ステップＳ０４でＹＥＳ）、無線ＬＡＮ回路による通話のための通信が確立された場合（ステップＳ０６でＹＥＳ）、無線回路への電力の供給を遮断する（ステップＳ０７）。無線ＬＡＮ回路による通話の間、無線回路への電力の供給を遮断することにより、消費電力が低減する。【選択図】        図４
2008131275.tif 000002
【特許請求の範囲】
【請求項１】
第１の無線通信手段と、
前記第１の無線通信手段とは異なる第２の無線通信手段と、
前記第１の無線通信手段と前記第２の無線通信手段への電力の供給を制御する電力制御手段と、を備え、
前記電力制御手段は、前記第１の無線通信手段と前記第２の無線通信手段との双方に電力を供給しているときに、前記第２の無線通信手段による通話のための通信が確立された場合、前記第１の無線通信手段への電力の供給を遮断する第１遮断手段を含む、音声通話装置。
【請求項２】
前記電力制御手段は、前記第１の無線通信手段への電力の供給を遮断した後、前記第２の無線通信手段により確立されていた通信が不能となった場合、直ちに前記第１の無線通信手段に電力を供給する供給開始手段をさらに含む、請求項１に記載の音声通話装置。
【請求項３】
前記電力制御手段は、前記第１の無線通信手段への電力の供給を遮断した後、前記第２の無線通信手段により確立されていた通信が通信不能となった場合、前記第２の無線通信手段に供給する電力を遮断する第２遮断手段を含む、請求項１または２に記載の音声通話装置。
【請求項４】
前記第２の無線通信手段が通信中に受信する電波の電波強度を検出する電波強度検出手段と、
前記検出された電波強度に基づいて、通信が不能となったか否かを検出する通信状態検出手段をさらに備えた、請求項２または３に記載の音声通話装置。
【発明の詳細な説明】
【技術分野】
【０００１】
この発明は音声通話装置に関し、特に無線ＬＡＮに接続可能な音声通話装置に関する。
【背景技術】
【０００２】
近年、公衆電話回線網の代わりにインターネットなどのＩＰ（インターネットプロトコル）網を利用したＩＰ電話機が登場している。また、ＩＰ網は、無線通信を利用したローカルエリアネットワーク（以下「無線ＬＡＮ」という）で実現することが可能である。この無線ＬＡＮに対応した通信回路をＰＤＣ（Ｐｅｒｓｏｎａｌ  Ｄｉｇｉｔａｌ  Ｃｅｌｌｕｌａｒ）またはＰＨＳ（Ｐｅｒｓｏｎａｌ  Ｈａｎｄｙｐｈｏｎｅ  Ｓｙｓｔｅｍ）などの携帯電話機に搭載すれば、携帯電話機をＩＰ電話として利用することが可能となる。
【０００３】
しかしながら、携帯電話機に２種類の通信回路を設ける必要があるため、消費電力が高くなってしまうといった問題がある。携帯電話は、バッテリで駆動することが多いため消費電力をできるだけ少なくするのが望ましい。
【０００４】
特開２００６−２５００９号公報には、第１の無線通信装置および第２の無線通信装置を備えた音声通話装置における音声通話方法であって、前記第１の無線通信装置への着信を検知する検知工程と、前記検知工程で前記着信が検知された場合に前記第２の無線通信装置に電力を供給する電力供給工程と、前記電力供給工程で電力を供給された前記第２の無線通信装置による通信の可否を判定する判定工程と、前記判定工程における判定結果に基づいて前記第１の通信装置および前記第２の通信装置のうちいずれか一つを選択する選択工程と、前記検知工程で前記着信が検知された相手先へ前記選択工程で選択された前記第１の無線通信装置または前記第２の無線通信装置によりコールバックするコールバック工程と、を含むことを特徴とする音声通話方法が記載されている。
【０００５】
しかしながら、第１の無線通信装置が待ち受け状態の間、第２の無線通信装置の電源がＯＦＦとなるため、第２の無線通信装置で着信を検出することができないといった問題がある。
【特許文献１】特開２００６−２５００９号公報
【発明の開示】
【発明が解決しようとする課題】
【０００６】
この発明は上述した問題点を解決するためになされたもので、この発明の目的の一つは、複数の通信方法それぞれで着信を検出しつつ消費電力を低減させることが可能な音声通話装置を提供することである。
【課題を解決するための手段】
【０００７】
上述した目的を達成するためにこの発明のある局面によれば、音声通話装置は、第１の無線通信手段と、第１の無線通信手段とは異なる第２の無線通信手段と、第１の無線通信手段と第２の無線通信手段への電力の供給を制御する電力制御手段と、を備え、電力制御手段は、第１の無線通信手段と第２の無線通信手段との双方に電力を供給しているときに、第２の無線通信手段による通話のための通信が確立された場合、第１の無線通信手段への電力の供給を遮断する第１遮断手段を含む。
【０００８】
この局面に従えば、第２の無線通信手段による通話のための通信が確立された場合、第１の無線通信手段への電力の供給が遮断される。第２の無線通信手段による通話と、第１の無線通信手段による通話とが同時に行われることはない。このため、第２の無線通信手段による通話が開始された後に、第１の無線通信手段による着信を検出する必要はない。第２の無線通信手段による通話のための通信が確立された後に、第１の無線通信手段への電力の供給を遮断することにより、消費電力を低減させることができる。その結果、複数の通信方法それぞれで着信を検出しつつ消費電力を低減させることが可能な音声通話装置を提供することができる。
【０００９】
好ましくは、電力制御手段は、第１の無線通信手段への電力の供給を遮断した後、第２の無線通信手段により確立されていた通信が不能となった場合、直ちに第１の無線通信手段に電力を供給する供給開始手段をさらに含む。
【００１０】
この局面に従えば、第２の無線通信手段により確立されていた通信が不能となった場合、直ちに第１の無線通信手段に電力が供給されるので、第１の無線手段が通信不能となる期間をできるだけ短くすることができる。
【００１１】
好ましくは、電力制御手段は、第１の無線通信手段への電力の供給を遮断した後、第２の無線通信手段により確立されていた通信が通信不能となった場合、第２の無線通信手段に供給する電力を遮断する第２遮断手段を含む。
【００１２】
この局面に従えば、第２の無線通信手段により確立されていた通信が通信不能となった場合、第２の無線通信手段に供給する電力が遮断されるので、第２の無線通信手段により無駄な電力が消費されるのを回避することができる。
【００１３】
好ましくは、第２の無線通信手段が通信中に受信する電波の電波強度を検出する電波強度検出手段と、検出された電波強度に基づいて、通信が不能となったか否かを検出する通信状態検出手段をさらに備える。
【発明を実施するための最良の形態】
【００１４】
以下、本発明の実施の形態について図面を参照して説明する。以下の説明では同一の部品には同一の符号を付してある。それらの名称および機能も同じである。したがってそれらについての詳細な説明は繰返さない。
【００１５】
図１は、本実施の形態における通信システムの概要を示す図である。図１を参照して、通信システム１０は、携帯電話システム２００と、無線ＬＡＮシステム３００とを含む。携帯電話システム２００は、通信事業者が提供するシステムであり、ここではその一例として、通信網２０２と、その通信網２０２に接続された基地局装置２０１と、基地局装置２０１と無線通信する音声通話装置としての携帯電話機１とを含む。ここでは、説明のために１つの基地局装置２０１を示しているが、台数は１以上あればよく、台数を限定するものではない。基地局装置２０１は、通信網２０２の中継器として機能する無線局装置である。携帯電話機１は、基地局装置２０１の通信可能領域内に位置するときに、基地局装置２０１と無線通信して、通信網２０２に接続される。ここでは、通信事業者が提供する通信網２０２を第１のネットワークと呼ぶ。
【００１６】
無線ＬＡＮシステム３００は、携帯電話機１と、３台のアクセスポイント（ＡＰ）１００〜１０２と、ＶｏＩＰ（Ｖｏｉｃｅ  ｏｖｅｒ  Ｉｎｔｅｒｎｅｔ  Ｐｒｏｔｏｃｏｌ）サーバ１１２と、ゲートウェイ（Ｇ／Ｗ）１１１とを含む。ＡＰ１００〜１０２と、ＶｏＩＰサーバ１１２と、Ｇ／Ｗ１１１とは、ＬＡＮケーブル１１０にそれぞれ接続され、それらによって互いにデータの送受信が可能な第２のネットワークを構成する。ここでは、説明のために３台のアクセスポイント１００〜１０２を示しているが、台数は１以上あればよく台数を限定するものではない。アクセスポイント１００〜１０２は、ＬＡＮの中継器として機能する無線局装置である。携帯電話機１は、アクセスポイント１００〜１０２のいずれか１つと無線通信することが可能であり、アクセスポイント１００〜１０２のいずれか１つと無線通信すると、携帯電話機１が第２のネットワークに接続され、ＶｏＩＰサーバ１１２、Ｇ／Ｗ１１１と通信することが可能となる。
【００１７】
第２のネットワークは、Ｇ／Ｗ１１１を介して、インターネット１１５と接続される。このため、携帯電話機１は、第２のネットワークに接続されている間、インターネット１１５に接続された他の通信端末と通信することが可能となる。
【００１８】
ＶｏＩＰサーバ１１２は、それぞれが第２のネットワークに接続された携帯電話機１と、相手方装置との間の通信を仲介する。相手方装置は、第２のネットワークに接続されたコンピュータ、ＩＰ電話機およびアクセスポイント１００〜１０２のいずれかと通信する別の携帯電話機を含む。ＶｏＩＰサーバ１１２は、予め携帯電話機１を識別するための装置識別情報と、その携帯電話機１に予め割当てられた内線番号とを関連付けたユーザテーブルを記憶しており、携帯電話機１が第２のネットワークに接続された段階で、その携帯電話機１に割当てられたＩＰアドレスと、携帯電話機１に割当てられた内線番号とを関連付ける。例えば、第１の携帯電話機に、第１の装置識別情報および第１の内線番号が割当てられており、第２の携帯電話機に第２の装置識別情報および第２の内線番号が割当てられている場合について説明する。第１の携帯電話機は、第２のネットワークに接続されると、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバにより第１のＩＰアドレスが割当てられ、ＤＨＣＰサーバから第１のＩＰアドレスを取得する。その後、第１の携帯電話機が第１のＩＰアドレスをＶｏＩＰサーバ１１２に登録要求すると、ＶｏＩＰサーバ１１２は、第１の内線番号と第１のＩＰアドレスとを関連付ける。同様に第２の携帯電話機は、第２のネットワークに接続されると、ＤＨＣＰサーバにより第２のＩＰアドレスが割当てられ、ＤＨＣＰサーバから第２のＩＰアドレスを取得する。その後、第２の携帯電話機が第２のＩＰアドレスをＶｏＩＰサーバ１１２に登録要求すると、ＶｏＩＰサーバ１１２は、第２の内線番号と第２のＩＰアドレスとを関連付ける。第１の携帯電話機１は、第２の内線番号をＶｏＩＰサーバ１１２に送信すれば、ＶｏＩＰサーバは、第１および第２の携帯電話機との間を仲介して、第１および第２の携帯電話機との間でＩＰパケットを送受信する通信を可能とする。これにより、第１および第２の携帯電話機それぞれがＩＰ電話機として機能し、通話が可能となる。また、第１の携帯電話機が、第２の内線番号をＶｏＩＰサーバ１１２に送信して、ＶｏＩＰサーバから第２の携帯電話機に割当てられた第２のＩＰアドレスを取得し、第１の携帯電話機と第２の携帯電話機との間で直接ＩＰパケットを送受信するようにしてもよい。
【００１９】
図２は、本発明の実施の形態の一つにおける携帯電話機の外観を示す斜視図である。図２（Ａ）は、オープンスタイルの携帯電話機の外観を示し、図２（Ｂ）はクローズスタイルの携帯電話機の外観を示す。図２（Ａ）および図２（Ｂ）を参照して、携帯電話機１は、操作側部３と、表示側部２とを含む。操作側部３は、電源キー１４Ａ、テンキーおよび通話キー等を含む操作キー１４と、マイク１３とが内側面に配置され、マイク端子１６およびイヤホン端子１７が右側面に配置される。表示側部２は、液晶表示装置（ＬＣＤ）１５と、レシーバを構成する第１スピーカ１１と、カメラ２４とが内側面に配置され、第２スピーカ１２が外側面に配置される。なお、ここでは携帯電話機１がＬＣＤ１５を備える例を示すが、ＬＣＤ１５に代えて、有機ＥＬ（Ｅｌｅｃｔｒｏ  Ｌｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２０】
図３は、本実施の形態における携帯電話機の機能の一例を示す機能ブロック図である。図３を参照して、携帯電話機１は、携帯電話機１の全体を制御するための制御部２１と、アンテナ２２Ａと接続された無線回路２２と、アンテナ２３Ａと接続された無線ＬＡＮ回路２３と、電力を蓄電するバッテリ４１と、バッテリの電力の供給経路を切換える電力切換部４３と、音声データを処理するためのコーデック部２８と、コーデック部２８の入出力を切換えるための音声切換部２９と、それぞれが音声切換部２９に接続されたマイク１３、第１スピーカ１１、第２スピーカ１２、マイク端子１６およびイヤホン端子１７と、カメラ２４と、ユーザの操作の入力を受付ける操作キー１４と、振動部２６と、ＬＣＤ１５の表示を制御するための表示制御部３０と、制御部２１で実行するためのプログラム、アドレス帳データおよび電子メール等を記憶するためのフラッシュＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７とを含む。
【００２１】
無線回路２２は、制御部２１により制御され、通信網２０２に接続された基地局装置２０１と無線通信する。基地局装置２０１がアンテナから送信する無線信号は、アンテナ２２Ａにより受信される。無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。アンテナ２２Ａから送信される無線信号は、基地局装置２０１のアンテナで受信され、基地局装置２０１に出力される。
【００２２】
無線ＬＡＮ回路２３は、制御部２１により制御され、アクセスポイント１００〜１０２のいずれか１つと無線通信する。アクセスポイント１００〜１０２のいずれかが送信する無線信号は、アンテナ２３Ａにより受信される。無線ＬＡＮ回路２３は、アンテナ２３Ａにより受信された無線信号が入力され、無線信号を復調した音声信号をコーデック部２８に出力する。また、無線ＬＡＮ回路２３は、コーデック部２８から音声信号が入力され、音声信号を変調した無線信号をアンテナ２３Ａに出力する。アンテナ２３Ａから送信される無線信号は、アクセスポイント１００〜１０２のいずれかで受信される。無線ＬＡＮ回路２３とアクセスポイント１００〜１０２それぞれとの間の通信は、電磁波を通信媒体とするものであってもよいし、赤外線等を通信媒体とするものであってもよい。
【００２３】
バッテリ４１は、ニッカド電池、ニッケル水素電池またはリチウムポリマ電池等の二次電池であり、携帯電話機１の全体に電力を供給する。電力切換部４３は、バッテリ４１と無線回路２２との間、およびバッテリ４１と無線ＬＡＮ回路２３との間に設けられる、電力切換部４３は、制御部２１により制御され、バッテリ４１から無線回路２２への電力の供給および遮断の切換えと、バッテリ４１から無線回路２２への電力の供給および遮断の切換えをおこなう。
【００２４】
コーデック部２８は、無線回路２２または無線ＬＡＮ回路２３から入力される音声信号を復号し、復号したデジタルの音声信号をアナログに変換し、増幅し、そして音声切換部２９に出力する。また、コーデック部２８は、音声切換部２９を介してマイク１３またはマイク端子１６からアナログの音声信号が入力され、音声信号をデジタルに変換し、符号化し、そして符号化した音声信号を無線回路２２または無線ＬＡＮ回路２３に出力する。
【００２５】
音声切換部２９は、制御部２１により制御され、コーデック部２８への音声信号の入出力を切換える。音声切換部２９は、コーデック部２８から受け付けた音声信号を、イヤホン端子１７、第１スピーカ１１および第２スピーカ１２のいずれかに出力する。イヤホン端子１７にイヤホンが接続されている場合には、コーデック部２８から受け付けた音声信号をイヤホン端子１７に出力する。イヤホン端子１７にイヤホンが接続されていない場合、携帯電話機１がハンズフリーモードであれば、コーデック部２８から受け付けた音声信号を第２スピーカ１２に出力し、携帯電話機１がハンズフリーモードでなければ、コーデック部２８から受け付けた音声信号を第１スピーカ１１に出力する。ユーザが操作キー１４を操作することにより、携帯電話機１がハンズフリーモードに設定される。また、携帯電話機１がオープンスタイルで通話状態のときハンズフリーモードに設定されていなくても、携帯電話機１の状態がクローズスタイルに変化すると、制御部２１は、ハンズフリーモードに設定する。このため、音声切換部２９は、携帯電話機１がオープンスタイルで通話状態のときハンズフリーモードに設定されていなければ、コーデック部２８から受け付けた音声信号を第１スピーカ１１に出力するが、携帯電話機１の状態がクローズスタイルに変化するとコーデック部２８から受け付けた音声信号を第２スピーカ１２に出力する。
【００２６】
音声切換部２９は、マイク１３またはマイク端子１６のいずれかが出力する音声信号をコーデック部２８に出力する。音声切換部２９は、マイク端子１６にマイクが接続されている場合は、マイク端子１６から受け付けた音声信号をコーデック部２８に出力し、マイク端子１６にマイクが接続されていない場合は、マイク１３から受け付けた音声信号をコーデック部２８に出力する。
【００２７】
表示制御部３０は、制御部２１により制御され、制御部２１から入力される指示に従ってＬＣＤ１５を制御して、ＬＣＤ１５に操作画面または画像を表示させる。ＬＣＤ１５に表示させる画像は、動画像と静止画像とを含む。
【００２８】
カードＩ／Ｆ２７には、着脱可能なメモリカード２７Ａが装着される。メモリカード２７Ａは、例えば、ＣｏｍｐａｃｔＦｌａｓｈ、ＳｍａｒｔＭｅｄｉａ（登録商標）、ＳＤ（Ｓｅｃｕｒｅ  Ｄｉｇｉｔａｌ）メモリカード、メモリースティック、ＭＭＣ（ＭｕｌｔｉＭｅｄｉａ  Ｃａｒｄ）、ｘＤピクチャーカードなどである。
【００２９】
振動部２６は、制御部２１により制御され、重心とは異なる位置がモータの軸に固定された振動板を回転させることにより、振動を発生する。制御部２１は、例えば、無線回路２２または無線ＬＡＮ回路２３において着信信号を受信したときに、振動部２６を駆動させることにより、振動による着信報知動作を実行する。
【００３０】
制御部２１は、カードＩ／Ｆ２７を介して、メモリカード２７Ａにアクセスが可能である。なお、ここでは制御部２１で実行するためのプログラムをフラッシュＲＯＭ３１に記憶しておく例を説明するが、プログラムをメモリカード２７Ａに記憶しておき、メモリカード２７Ａからプログラムを読み出して、制御部２１で実行するようにしてもよい。プログラムを記憶する記録媒体としては、メモリカード２７Ａに限られず、フレキシブルディスク、カセットテープ、光ディスク（ＣＤ−ＲＯＭ（Ｃｏｍｐａｃｔ  Ｄｉｓｃ
−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭなどの半導体メモリ等でもよい。また、携帯電話機１をインターネットに無線回路２２または無線ＬＡＮ回路２３を介して接続し、インターネットに接続されたコンピュータからプログラムをダウンロードして、制御部２１で実行するようにしてもよい。ここでいうプログラムは、制御部２１により直接実行可能なプログラムだけでなく、ソースプログラム、圧縮処理されたプログラム、暗号化されたプログラム等を含む。
【００３１】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１５に表示させる、または、圧縮符号化方式で静止画データまたは動画データを符号化して、フラッシュＲＯＭ３１またはカードＩ／Ｆ２７に装着されたメモリカード２７Ａに記憶する。カメラ２４は、携帯電話機１がテレビ電話として機能する際に、携帯電話機１のユーザを撮像する。
【００３２】
図４は、制御部で実行されるメイン処理の一例を示すフローチャートである。メイン処理は、制御部２１がフラッシュＲＯＭ３１に記憶されたプログラムを実行することにより、制御部２１により実行される処理である。メイン処理は、携帯電話機１に電源が投入されると、制御部２１により実行される。図４を参照して、制御部２１は、電源が投入された後、無線回路２２への電力供給を開始する（ステップＳ０１）。電力切換部４３を制御して、バッテリ４１の電力出力端子と無線回路２２の電力入力端子とを接続する。次に、無線回路２２を起動させるための無線回路起動処理を実行する（ステップＳ０２）。無線回路起動処理については、後述するが無線回路２２を制御する処理である。制御部２１は、メイン処理を実行するプロセスとは独立したプロセスを生成し、その生成したプロセスが無線回路起動処理を実行する。
【００３３】
無線回路起動処理を実行するプロセスが生成されると、次のステップＳ０３においては、無線ＬＡＮの起動指示を受け付けたか否かを判断する。例えば、ユーザが無線ＬＡＮを起動させるためのキーとして操作キー１４に予め定められたキーを押下すると、無線ＬＡＮの起動指示を受け付ける。無線ＬＡＮの起動指示を受け付けたならば処理をステップＳ０４に進めるが、そうでなければ処理をステップＳ１３に進める。
【００３４】
ステップＳ１３においては、電源をＯＦＦにする指示が受け付けられたか否かを判断する。電源をＯＦＦにする指示が受け付けられたならば処理を終了するが、そうでなければ処理をステップＳ０３に戻す。なお、電源をＯＦＦにする指示が受け付けられた場合には、ステップＳ０２において生成した無線回路起動処理を実行するプロセスを終了させた後に、処理を終了する。
【００３５】
ステップＳ０４においては、無線ＬＡＮ回路２３への電力供給を開始する。電力切換部４３を制御して、バッテリ４１の電力出力端子と無線ＬＡＮ回路２３の電力入力端子とを接続する。次に、無線ＬＡＮ回路２３を起動させるための無線ＬＡＮ回路起動処理を実行する（ステップＳ０５）。無線ＬＡＮ回路起動処理については、後述するが無線ＬＡＮ回路２３を制御する処理である。制御部２１は、メイン処理を実行するプロセスおよび無線回路起動処理を実行するプロセスとは独立したプロセスを生成し、その生成したプロセスが無線ＬＡＮ回路起動処理を実行する。
【００３６】
そして、無線ＬＡＮ回路起動処理において通話が開始されたか否かを判断する（ステップＳ０６）。通話が開始されるまで待機状態となり（ステップＳ０６でＮＯ）、通話が開始されたならば（ステップＳ０６でＹＥＳ）、処理をステップＳ０７に進める。ここでの無線ＬＡＮ回路２３における通話のための通信は、携帯電話機１をＶｏＩＰ電話として機能させるためのアプリケーションプログラムが、制御部２１で実行されることを意味する。無線ＬＡＮ回路２３においては、制御部２１により他のアプリケーションプログラム、例えばＷｅｂページを閲覧するためのブラウザプログラム、ナビゲーションプログラム、電子メールの送受信および編集プログラム、ファイルのダウンロードプログラム等が実行されることによっても、通信が実行される。ここでは、これらのアプリケーションプログラムのうち、携帯電話をＶｏＩＰ電話として機能させるためのアプリケーションプログラムが、制御部２１で実行され、通話が開始されたか否かを判断する。他のアプリケーションプログラムが実行されている場合に、無線回路２２において着信を検出可能とするためのである。
【００３７】
ステップＳ０７においては、無線回路２２への電力供給を遮断する。電力切換部４３を制御して、バッテリ４１の電力出力端子と無線回路２２の電力入力端子との接続を切断する。このとき、ステップＳ０２において生成した無線回路起動処理を実行するプロセスを終了させる。無線ＬＡＮ回路２３による通話（ＩＰ電話での通話）と、無線回路２２による通話（携帯電話での通話）とが同時に行われることはない。このため、無線ＬＡＮ回路２３による通話が開始された後に、無線回路２２による着信を検出する必要はないので、無線回路２２への電力供給を遮断する。これにより、無線回路２２により無駄な電力が消費されるのを回避することができる。
【００３８】
そして、ステップＳ０５で起動した無線ＬＡＮ回路起動処理において通話が終了したか否かを判断する（ステップＳ０８）。通話が終了したならば処理をステップＳ１０に進めるが、終了していなければ処理をステップＳ０９に進める。ステップＳ０９においては、ステップＳ０５で起動した無線ＬＡＮ回路起動処理において無線ＬＡＮ回路２３で通信が不能となったか否かを判断する。通信が不能となったならば処理をステップＳ１０に進めるが、そうでなければ処理をステップＳ０８に進める。
【００３９】
ステップＳ１０においては、無線ＬＡＮ回路２３への電力の供給を遮断する。電力切換部４３を制御して、バッテリ４１の電力出力端子と無線ＬＡＮ回路２３の電力入力端子との接続を切断する。このとき、ステップＳ０５において生成した無線ＬＡＮ回路起動処理を実行するプロセスを終了させる。無線ＬＡＮ回路２３による通信が不能となった後に、無線ＬＡＮ回路２３に電力を供給する必要はない。このため、無線ＬＡＮ回路２３への電力供給を遮断することより、無線ＬＡＮ回路２３により無駄な電力が消費されるのを回避することができる。
【００４０】
そして、ステップＳ０１およびステップＳ０２と同様に、無線回路２２への電力供給を開始し（ステップＳ１１）、無線回路２２を起動させるための無線回路起動処理を実行し（ステップＳ１２）、処理をステップＳ１３に進める。無線ＬＡＮ回路２３が通信不能となった場合、直ちに無線回路２２に電力を供給することにより、無線回路２２が通信不能となる期間をできるだけ短くすることができる。
【００４１】
ステップＳ１３においては、電源をＯＦＦにする指示が受け付けられたか否かを判断し、電源をＯＦＦにする指示が受け付けられたならば処理を終了するが、そうでなければ処理をステップＳ０３に戻す。
【００４２】
なお、本実施の形態においては、携帯電話機１の電源がＯＮになった後に、無線ＬＡＮの起動指示を受け付けることを条件に（ステップＳ０３においてＹＥＳ）、無線ＬＡＮ回路２３を起動するようにしたが、無線ＬＡＮの起動指示を受け付けることなく、携帯電話機１の電源がＯＮになった後に、無線ＬＡＮ回路２３を起動するようにしてもよい。この場合、ステップＳ０３は、不要である。
【００４３】
図５は、無線回路起動処理の流れの一例を示すフローチャートである。無線回路起動処理は、図４のステップＳ０２およびステップＳ１２において、新たなプロセスが生成され、そのプロセスが実行する処理である。図５を参照して、制御部２１は、無線回路２２を制御して、サーチ動作を開始させる（ステップＳ２１）。ここでのサーチ動作は、１Ｘサーチと呼ばれ、携帯電話機１を第１のネットワーク２０２に接続し、通話を可能とするための動作である。具体的には、無線回路２２は基地局装置２０１と通信して通話に必要な情報を送受信する。
【００４４】
次に、待ち受け状態となり（ステップＳ２２）、発信または着信があると（ステップＳ２３でＹＥＳ）、処理をステップＳ２４に進める。発信または着信がなければ（ステップＳ２３でＮＯ）、処理をステップＳ２６に進める。発信は、携帯電話機１のユーザが操作キーを操作して、電話番号を入力することにより制御部２１が受け付ける。着信は、無線回路２２が基地局装置２０１から着呼信号を受信することにより、制御部２１が受け付ける。ステップＳ２４においては、回線を接続して通話を開始する。
【００４５】
ステップＳ２５においては、通話が終了したか否かを判断し、通話が終了するまで待機情報となり、通話が終了したならば処理をステップＳ２６に進める。通話の終了は、ユーザが操作キーの通話終了ボタンを押下することにより携帯電話機１に入力され、制御部２１が受け付ける、または、無線回路２２が基地局装置２０１から通話の終了を示す信号を受信すると、制御部２１が無線回路２２から受け付ける。
【００４６】
ステップＳ２６においては、電子メールを受信したか否かを判断し、電子メールを受信したならば処理をステップＳ２７に進めるが、そうでなければ処理をステップＳ２２に戻し、待ち受け状態となる。ステップＳ２７においては、受信した電子メールをフラッシュＲＯＭ３１に記憶し、処理をステップＳ２２に戻す。
【００４７】
このように、無線回路起動処理が実行されている間に、無線回路２２が基地局装置２０１から電子メールを受信すると、その電子メールがフラッシュＲＯＭ３１に記憶され、発信または着信があると通話が開始される。
【００４８】
図６は、無線ＬＡＮ回路起動処理の流れの一例を示すフローチャートである。無線ＬＡＮ回路起動処理は、図４のステップＳ０５において、新たなプロセスが生成され、そのプロセスが実行する処理である。図６を参照して、制御部２１は、接続可能なアクセスポイントを検出するために無線ＬＡＮ回路２３にスキャンを開始させる（ステップＳ３１）。そして、スキャンにより検出された電波強度に基づいて、接続するアクセスポイントを決定し、そのアクセスポイントに接続要求（ＡｓｓｏｃｉａｔｉｏｎＲｅｑｕｅｓｔ）を送信する（ステップＳ３２）。接続するアクセスポイントは、例えば、電波強度が最大のアクセスポイントに決定するようにすればよい。ここでは、アクセスポイント１００に接続要求を送信する場合を例に説明する。アクセスポイント１００は、接続要求を受信すると、携帯電話機１を認証するために、規格ＩＥＥＥ８０２．１Ｘで定められた認証処理を実行する。これに応じて、制御部２１は、無線ＬＡＮ回路２３に認証処理に必要な情報をアクセスポイント１００へ送信させる（ステップＳ３３）。アクセスポイント１００において認証が成功すれば、制御部２１は、無線ＬＡＮ回路２３を制御して、アクセスポイント１００との間で暗号鍵を含む暗号化情報を交換する（ステップＳ３４）。この暗号化情報の交換のためのプロトコルは、４ウェイ・ハンドシェークとして知られている。
【００４９】
そして、制御部２１は、ＩＰアドレスを取得する（ステップＳ３５）。具体的には、無線ＬＡＮ回路２３を制御して、第２のネットワークに接続されたＤＨＣＰサーバからＩＰアドレスを取得する。そして、取得したＩＰアドレスをＶｏＩＰサーバ１１２に登録する（ステップＳ３６）。制御部２１は、無線ＬＡＮ回路２３を制御して、携帯電話機１に割当てられたＭＡＣアドレスと取得したＩＰアドレスとをＶｏＩＰサーバ１１２に送信させる。これにより、携帯電話機１が、ＶｏＩＰサーバ１１２に登録され、第２のネットワークにおけるＩＰ電話機として機能する。
【００５０】
そして、制御部２１は、待ち受け状態となり（ステップＳ３７）、発信または着信があると（ステップＳ３８でＹＥＳ）、処理をステップＳ３９に進める。発信または着信がなければ（ステップＳ３８でＮＯ）、処理をステップＳ３７に戻し、待ち受け状態となる。発信は、携帯電話機１のユーザが操作キーを操作して、内線番号を入力することにより制御部２１が受け付ける。着信は、アクセスポイント１００から着呼信号を受信することにより、制御部２１が受け付ける。ステップＳ３９においては、回線を接続して通話を開始する。制御部２１は、ステップＳ３５で取得したＩＰアドレスと、通話中にコーデック部２８から入力される音声信号とを含むＩＰパケットを生成し、ＩＰパケットを無線ＬＡＮ回路２３に出力して、送信させる。
【００５１】
ステップＳ３９で通話が開始されると、制御部２１は、通話中の電波の電波強度を検出する（ステップＳ４０）。ステップＳ４１においては、検出された電波強度が予め定めたしきい値Ｔより大きいか否かを判断する。電波強度がしきい値より大きければ処理をステップＳ４２に進めるが、そうでなければ処理をステップＳ３１に戻す。
【００５２】
ステップＳ４２においては、通話が終了したか否かを判断し、通話が終了したならば処理をステップＳ３７に戻し、終了しなければ処理をステップＳ４０に戻す。通話の終了は、ユーザが操作キーの通話終了ボタンを押下することにより携帯電話機１に入力され、制御部２１が受け付ける、または、無線ＬＡＮ回路２３がアクセスポイント１００から通話の終了を示す信号を受信すると、制御部２１が無線ＬＡＮ回路２３から受け付ける。
【００５３】
なお、本実施の形態においては、無線ＬＡＮ回路２３による通信が不能か否かを、無線ＬＡＮ回路２３が受信する電波の電波強度をしきい値と比較することにより判断するようにしたが、無線ＬＡＮ回路２３において復調した信号のビットエラー率を算出し、そのビットエラー率をしきい値と比較することにより判断するようにしてもよい。
【００５４】
以上説明したように、本実施の形態における音声通話装置として携帯電話機１は、無線回路２２と無線ＬＡＮ回路２３との双方に電力を供給しているときに、無線ＬＡＮ回路２３による通話のための通信が確立された場合、無線回路２２への電力の供給を遮断するので、無線回路２２で無駄な電力が消費されるのを回避することができ、消費電力を低減させることができる。
【００５５】
また、無線回路２２への電力の供給を遮断した後、無線ＬＡＮ回路２３により確立されていた通信が不能となった場合、直ちに無線回路２２に電力を供給するので、無線回路２２が通信不能となる期間をできるだけ短くすることができる。
【００５６】
また、無線回路２２への電力の供給を遮断した後、無線ＬＡＮ回路２３により確立されていた通信が不能となった場合、無線ＬＡＮ回路２３に供給する電力を遮断するので、無線ＬＡＮ回路２３で無駄な電力が消費されるのを回避することができ、消費電力を低減させることができる。
【００５７】
なお、携帯電話機１は、無線回路２２と無線ＬＡＮ回路２３との双方に電力を供給しているときに、無線回路２２による通話のための通信が確立された場合、無線ＬＡＮ回路２３への電力の供給を遮断するようにしてもよい。この場合には、無線ＬＡＮ回路２３で無駄な電力が消費されるのを回避することができ、消費電力を低減させることができる。さらに、携帯電話機１は、無線回路２２と無線ＬＡＮ回路２３との双方に電力を供給しているときに、無線回路２２と無線ＬＡＮ回路２３とのいずれか一方による通話のための通信が確立された場合、他方への電力の供給を遮断するようにしてもよい。この場合には、無線回路２２と無線ＬＡＮ回路２３のうち電力の供給が遮断された回路で無駄な電力が消費されるのを回避することができ、消費電力を低減させることができる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５９】
＜付記＞
（１）  前記第２の無線通信手段が受信するデータのエラー率を算出するエラー率算出手段と、
前記算出されたエラー率に基づいて、通信が不能となったか否かを検出する通信状態検出手段をさらに備えた、請求項２または３に記載の音声通話装置。
【図面の簡単な説明】
【００６０】
【図１】本実施の形態における通信システムの概要を示す図である。
【図２】本発明の実施の形態の一つにおける携帯電話機の外観を示す斜視図である。
【図３】本実施の形態における携帯電話機の機能の一例を示す機能ブロック図である。
【図４】制御部で実行されるメイン処理の一例を示すフローチャートである。
【図５】無線回路起動処理の流れの一例を示すフローチャートである。
【図６】無線ＬＡＮ回路起動処理の流れの一例を示すフローチャートである。
【符号の説明】
【００６１】
１  携帯電話機、２  表示側部、３  操作側部、１０  通信システム、１１  第１スピーカ、１２  第２スピーカ、１３  マイク、１４  操作キー、１４Ａ  電源キー、１５  ＬＣＤ、１６  マイク端子、１７  イヤホン端子、２１  制御部、２２  無線回路、２３  無線ＬＡＮ回路、２４  カメラ、２６  振動部、２７  カードＩ／Ｆ、２７Ａ  メモリカード、２８  コーデック部、２９  音声切換部、３０  表示制御部、４１  バッテリ、４３  電力切換部、１００〜１０２  アクセスポイント、１１０  ＬＡＮケーブル、１１１  Ｇ／Ｗ、１１２  ＶｏＩＰサーバ、１１５  インターネット、２００  携帯電話システム、２０１  基地局装置、２０２  通信網、３００  無線ＬＡＮシステム。
【図１】
2008131275.tif 000003
【図２】
2008131275.tif 000004
【図３】
2008131275.tif 000005
【図４】
2008131275.tif 000006
【図５】
2008131275.tif 000007
【図６】
2008131275.tif 000008